(57)【要約】【課題】弛度調整作業に際し、バーニヤ金具の自由回動を抑制でき、そのため、弛度調整作業を容易に行うことのできるバーニヤ金具を備えた耐張装置を提供する。【解決手段】外側プレート２、３における反内側プレート側の端部近傍の位置において、外側プレート２、３間に挿入、連結されてこの外側プレート２、３をヨーク１０に連結する連結金具１３を設ける。連結金具１３には、外側プレート２、３への連結部６よりも内側プレート４側の位置おいて、調整工具６０の調整アーム６２、６２が、外側プレート２、３をその上下から挟持した状態で係合可能な係合部２１を設ける。調整アーム６２、６２によって外側プレート２、３の回動を規制する。【選択図】図６
2008253061.tif 000002
【特許請求の範囲】
【請求項１】
架空送電線を支持する耐張クランプ（１１）と、鉄塔などの支持物に取着された碍子との間に介設される耐張装置であって、一対の外側プレート（２）（３）間に内側プレート（４）を介在し、長手方向に相互に位置調整可能にして長さ調整可能にすると共に、所定の調整位置において上記外側プレート（２）（３）と内側プレート（４）とを相互に連結可能に構成したバーニヤ金具（１）を備えて成り、上記外側プレート（２）（３）における反内側プレート側の端部近傍の位置において、外側プレート（２）（３）間に挿入、連結されてこの外側プレート（２）（３）を耐張クランプ（１１）側または碍子側に連結する連結金具（１３）を設け、この連結金具（１３）には、外側プレート（２）（３）への連結部（６）よりも内側プレート（４）側の位置おいて、調整工具（６０）の調整アーム（６２）（６２）が、外側プレート（２）（３）をその上下から挟持した状態で係合可能な係合部（２１）を設けていることを特徴とするバーニヤ金具を備えた耐張装置。
【請求項２】
上記内側プレート（４）における反外側プレート（２）（３）側の端部近傍には、調整工具（６０）の調整アーム（６３）（６３）が、内側プレート（４）の端部近傍をその上下から挟持する状態で係合可能な係合部（２２）を設けていることを特徴とする請求項１のバーニヤ金具を備えた耐張装置。
【請求項３】
さらに、外側プレート（２）（３）の側面には、連結金具（１３）の連結部（６）の位置よりも内側プレート（４）側に、調整工具（６０）の調整アーム（６２）（６２）が、その両側から係合可能な係合部（２３）を設けていることを特徴とする請求項１または請求項２のバーニヤ金具を備えた耐張装置。
【発明の詳細な説明】
【技術分野】
【０００１】
この発明は、バーニヤ金具を備えた耐張装置に関するものであり、特に、架空送電線の弛度調整作業の作業性を向上し得るバーニヤ金具を備えた耐張装置に係るものである。
【背景技術】
【０００２】
図１０は、４導体用の耐張碍子装置の一部を示す上面図である。バーニヤ金具４０は、一対の外側プレート４１、４１と、この外側プレート４１、４１間に介在される内側プレート４２とを備える。外側プレート４１、４１は、その先端側に複数個のボルト挿通孔４３が所定のピッチでそれぞれ形成されており（図１２（ｂ）参照）、このボルト挿通孔４３が互いに一致するように所定の間隔をあけて対向して配置され、その基端部が取付ボルト４４によって平行クレビスリンク４５に取り付けられている。
【０００３】
一方、内側プレート４は、その先端側に複数個の位置決め孔４６が所定のピッチで形成されており（図１２（ｂ）参照）、この位置決め孔４６がボルト挿通孔４３に連通できるように、外側プレート４１、４１間に介在され、その基端部が取付ボルト４７によって直角クレビスリンク４８に取り付けられている。尚、位置決め孔４６のピッチは、ボルト挿通孔４３のピッチとは異なる値に選ばれている。
【０００４】
このような構成のバーニヤ金具４０は、外側プレート４１、４１と内側プレート４２とを長手方向に相互に位置調整することができると共に、図１０に示すように、所望のボルト挿通孔４３と位置決め孔４６とに連結ボルト４９を貫入することによって、外側プレート４１、４１と内側プレート４２とは連結され、所望の長さを持ったバーニヤ金具４０とすることができる。ここで、上述したようにボルト挿通孔４３と位置決め孔４６は異なるピッチで形成されているため、ボルト挿通孔４３と位置決め孔４６との組み合わせを変更することによって、バーニヤ金具４０の長さを段階的に変更することができる。
【０００５】
このバーニヤ金具４０は、架空送電線を鉄塔などの支持物に把持する耐張装置の構成部品として使用されており、架空送電線を把持する耐張クランプ５０と支持物に取り付けられた碍子（図示せず）との間に介設され、その長さを調整することによって架空送電線の弛度（たるみの度合）を調整するために使用されている。
【０００６】
バーニヤ金具４０は、内側プレート４２の基端部が２連ヨーク５１の両端にそれぞれ直角クレビスリンク４８などによって接続されており、また外側プレート４１、４１の基端部は平行クレビスリンク４５、直角クレビスリンク４９などによって耐張クランプ５０の基端部に接続されている。耐張クランプ５０は、その先端側で送電線（図示せず）を支持している。また、２連ヨーク５１の下方に配置された別の２連ヨーク（図示せず）の両端にも、上述と同様に、バーニヤ金具４０、耐張クランプ５０等がそれぞれ接続されている。従って、図９に示す耐張碍子装置は４本の送電線を把持している。
【０００７】
図１１及び図１２（ａ）は、バーニヤ金具４０の長さ調整方法を説明するための上面図である。バーニヤ金具４０の長さ調整は、調整工具６０を装着して行う。調整工具６０は、支持棒６１の両端に調整アーム６２、６３を揺動可能に取り付け、この一対の調整アーム６２、６３の各一方端部に複動形シリンダ６４の基端部側及びピストンロッドの先端部側をそれぞれ揺動可能に取り付け、各調整アーム６２、６３の先端部には、アーム係合孔（アーム係合部）６６、６７を形成して構成されている。そして、図１１に示すように、調整工具６０は、バーニヤ金具４０に対し、その側方（水平方向）からアーム係合孔６６、６７をそれぞれ直角クレビスリンク４８、平行クレビスリンク４５の取付部４８ａ、４５ａに、枢支ボルト５８、５９で揺動可能に取り付けることによって装着される。
【０００８】
装着後にピストンロッドを前進させると、図１２（ａ）のように、調整アーム６２、６３は支持棒６１の両端を軸心として各アーム係合部６６、６７が互いに近接する方向に回動し、これによって送電線が取り込まれると共に、バーニヤ金具４０に作用していた張力は調整工具６０に作用することになり、この状態で連結ボルト４９を外す。そうすると、図１２（ｂ）に示すように、バーニヤ金具４０は垂れ下がった状態となる。そして、所望の長さになるようにボルト挿通孔４３と位置決め孔４６とを選択して位置合わせを行い、選択したボルト挿通孔４３と位置決め孔４６に連結ボルト４９を貫入して外側プレート４１、４１と内側プレート４２とを連結する。そしてその後、ピストンロッドを後退させてバーニヤ金具４０に張力が作用するようにしてから、調整工具６０を取り外して、作業を終了する。なお上記した従来のバーニヤ金具は、特許文献１に記載されている。
【特許文献１】特開２０００−１０２１５２号公報
【発明の開示】
【発明が解決しようとする課題】
【０００９】
ところで、上記バーニヤ金具を備えた耐張装置においては、図１２（ｂ）に示すように、バーニヤ金具４０に作用していた張力が解除された状態においては、外側プレート４１、４１と内側プレート４２との先端側はその自重によって、取り付けボルト４４、４７を中心として下方に回動する。そのため、選択したボルト挿通孔４３と位置決め孔４６に連結ボルト４９を貫入して外側プレート４１、４１と内側プレート４２とを連結する際に、各プレート４１、４１、４２を水平にする必要が生じる。そのためこの作業に多くの手数を要することになる。また事前に、回動防止対策を施しておく場合もあるが、この場合にもこの防止策実施のために余分な手数を要することになる。
【００１０】
この発明は上記した従来の欠点を解消するためになされたものであって、その目的は、上記のようなバーニヤ金具の自由回動を抑制でき、そのため、弛度調整作業を容易に行うことのできるバーニヤ金具を備えた耐張装置を提供することにある。
【課題を解決するための手段】
【００１１】
そこでこの発明のバーニヤ金具を備えた耐張装置は、架空送電線を支持する耐張クランプ１１と、鉄塔などの支持物に取着された碍子との間に介設される耐張装置であって、一対の外側プレート２、３間に内側プレート４を介在し、長手方向に相互に位置調整可能にして長さ調整可能にすると共に、所定の調整位置において上記外側プレート２、３と内側プレート４とを相互に連結可能に構成したバーニヤ金具１を備えて成り、上記外側プレート２、３における反内側プレート側の端部近傍の位置において、外側プレート２、３間に挿入、連結されてこの外側プレート２、３を耐張クランプ１１側または碍子側に連結する連結金具１３を設け、この連結金具１３には、外側プレート２、３への連結部６よりも内側プレート４側の位置おいて、調整工具６０の調整アーム６２、６２が、外側プレート２、３をその上下から挟持した状態で係合可能な係合部２１を設けていることを特徴としている。
【００１２】
また、内側プレート４における反外側プレート２、３側の端部近傍には、調整工具６０の調整アーム６３、６３が、内側プレート４の端部近傍をその上下から挟持する状態で係合可能な係合部２２を設けている。
【００１３】
さらに、外側プレート２、３の側面には、連結金具１３の連結部６の位置よりも内側プレート４側に、調整工具６０の調整アーム６２、６２が、その両側から係合可能な係合部２３を設けている。
【発明の効果】
【００１４】
この発明のバーニヤ金具を備えた耐張装置によれば、調整工具６０を水平方向から取り付けて弛度調整作業を行うに際して、外側アーム２、３は、連結金具１３の係合部２１の近傍の位置において、上下両側から上下の調整アーム６２、６２によって挟持された状態となっており、調整アーム６２、６２によって、外側アーム２、３の回動が規制される。このとき、連結金具１３の外側プレート２、３への連結部６よりも内側プレート４側の位置に、連結金具１３の係合部２１を設けてあるので、調整アーム６２の先端部は確実に、外側プレート２、３を挟持し、その回動を規制できることになる。従って、弛度調整作業に際して、バーニヤ金具１において、外側プレート２、３は、従来のように、連結部６の周りを回動せず、略水平な状態で保持され、弛度調整作業を容易、かつ高能率に行えることになる。
【００１５】
また、内側プレート４に関しては、内側プレート４に張力が作用したままの状態が保たれるので、この点において、内側プレート４に回動は規制される。
【００１６】
さらに、調整工具６０を上下方向から取り付けて弛度調整を行う場合には、外側プレート２、３の側面に調整工具の調整アームが、その両側から係合可能な係合部２３を設けていので、外側プレート２、３に張力が作用したままの状態が保たれ、外側プレート２、３の回動が規制される。
【発明を実施するための最良の形態】
【００１７】
次にこの発明のバーニヤ金具を備えた耐張装置の具体的な実施の形態について、図面を参照しつつ詳細に説明する。図１は耐張装置の上面図、図２はその正面図である。同図において、１０は碍子側に連結されるヨーク、１１は耐張クランプをそれぞれ示している。この場合、上段に左右一対の送電線、下段に左右一対の送電線が支持される４導体用の耐張装置が構成されている。各送電線の支持構造が略同一であるので、便宜上特定の（例えば、図１において、図面上側に位置する）送電線の支持構造について説明する。まず、図１に示すように、ヨーク１０には、直角クレビスリンク１２、第１連結金具（直角クレビスリンク）１３を介してバーニヤ金具１の一端部が連結され、バーニヤ金具１の他端部には、第２連結金具（平行クレビス）１４、直角クレビスリンク１５などを介して耐張クランプ１１が連結されている。
【００１８】
上記バーニヤ金具１は、図３に示すように、ヨーク１０側に位置する外側プレート２、３と、外側プレート２、３間に配置される内側プレート４とより成るものである。図４に示すように、外側プレート２、３は、細長い平板状の部品であり、その先端側には複数個（本実施形態では７個）のボルト挿通孔５が所定のピッチでそれぞれ形成されている。そして外側プレート２、３はボルト挿通孔５が互いに一致するように所定の間隔をあけて対向して配置され、その基端部が取付ボルト６によって第１連結金具１３に取り付けられている。この場合、外側プレート２、３の間に第１連結金具１３のリンクが嵌入された状態で、外側プレート２、３と第１連結金具１３とは連結されている。
【００１９】
一方、図４に示すように、内側プレート４も、外側プレート２、３と同様に細長い平板状の部品であり、幅は外側プレート２、３とほぼ同じであり、厚みは外側プレート２、３よりもやや大きく形成されている。内側プレート４には、その先端側に複数個（本実施形態では９個）の位置決め孔７が、所定のピッチで形成されている。尚、位置決め孔７のピッチは、上記ボルト挿通孔５のピッチとは異なる値に選ばれている。そして、内側プレート４は、位置決め孔７がボルト挿通孔５に連通できるように、外側プレート２、３間に介在されており、その基端部に形成された挿通孔に取付ボルト８を挿通して第２連結金具１４に取り付けられている。この場合、内側プレート４の基端部（外側プレート２、３とは反対側端部）は肉厚に形成され、この肉厚部が第２連結金具（平行クレビス）１４のクレビス内に嵌入している。
【００２０】
このような構成のバーニヤ金具１は、外側プレート２、３と内側プレート４とを長手方向に相互に位置調整することができると共に、所望のボルト挿通孔５と位置決め孔７とに連結ボルト９を貫入することによって、外側プレート２、３と内側プレート４とは連結され、所望の長手方向長さに持ったバーニヤ金具１とすることができる。ここで、上述したようにボルト挿通孔５と位置決め孔７は異なるピッチで形成されているため、連結ボルト９を貫入するボルト挿通孔５と位置決め孔７との組合わせを変更することによって、バーニヤ金具１の長手方向長さを段階的に変更することができる。
【００２１】
そして以下に、この実施形態において特徴的な点について説明する。バーニヤ金具１において、図３に示すように、第１連結金具１３のリンクには、外側プレート２、３への連結部６よりも内側プレート４側の位置おいて、調整工具の調整アーム６２が、外側プレート２、３をその上下から挟持した状態で係合可能な第１係合孔（第１係合部）２１が設けられている。また、内側プレート４における外側プレート２、３とは反対側の端部近傍（肉厚部）には、調整工具の調整アームが、内側プレート４の端部近傍をその上下から挟持する状態で係合可能な第２係合孔（第２係合部）２２を設けられている。この場合、上記内側プレート４の第２係合孔２２は、第２連結金具１４の連結部８の位置よりも反外側プレート２、３側に設けられている。なお、上記第１係合孔２１、第２係合孔２２は、上下方向に延びる貫通孔である。
【００２２】
さらに図４に示すように、外側プレート２、３の側面には、第１連結金具１３の連結部６の位置よりも内側プレート４よりの位置に、調整工具の調整アームが、その両側から係合可能な第３係合孔（第３係合部）２３を設けている。また、第２連結金具１３の側部には、調整工具の調整アームが、その両側から係合可能な第４係合孔（第４係合部）２４が設けられている。なお、上記第３係合孔２３、第４係合孔２４は水平方向に延びる貫通孔である。
【００２３】
次に、バーニヤ金具１の長さ調整方法について説明する。なおここで使用する調整工具６０は、従来例の説明において使用したものと同一であるので、同一符号を付してその詳細な説明は省略する。図５に示すように、まず、水平方向（横方向）から調整工具６０を取り付ける。この場合、一方の調整アーム６２のアーム係合孔（アーム係合部）６６と第１連結金具１３の第１係合孔２１との位置を一致させ、両孔６６、２１に枢支ボルト５８を挿通し、両者を連結する。この状態において、外側アーム２、３は上下両側から上下の調整アーム６２によって挟持された状態となっている。すなわち、調整アーム６２を上下一対となる２枚の板状体で構成したり、あるいは一体の調整アーム６２の先端部を上下に二股状に構成したりすることによって、外側アーム２、３の上下に調整アーム６２、６２が位置し、外側アーム２、３を上下両側から挟持するようになっているのである。また、調整工具６０の他方の調整アーム６３のアーム係合孔（アーム係合部）６７と内側プレート４の第２係合孔２２との位置を一致させ、両孔６７、２２に枢支ボルト５９を挿通し、両者を連結する。この場合にも、上記第１連結金具１３と同様に、内側アーム４の上下に調整アーム６３、６３が位置し、内側アーム４を上下両側から挟持するようになっている。
【００２４】
そして連結後にピストンロッド６５を前進させると、調整アーム６２、６３は支持棒６１の両端を軸心として各アーム係合孔６６、６７が互いに近接する方向に回動し、これによって送電線が取り込まれると共に、バーニヤ金具１に作用していた張力は調整工具６０に作用することになり、この状態で外側プレート２、３と内側プレートとを連結する連結ボルト９を外す。そしてさらに、図６（ａ）（ｂ）に示すように、調整アーム６２、６３を回動させ、バーニヤ金具１が、所望の長さになるようにボルト挿通孔５と位置決め孔７とを選択して位置合わせを行い、選択したボルト挿通孔５と位置決め孔７に連結ボルト９を貫入して外側プレート２、３と内側プレート４とを連結する。そしてその後、ピストンロッド６５を後退させてバーニヤ金具１に張力が作用するようにしてから、調整工具６０を取り外して、作業を終了する。
【００２５】
そして、上記弛度調整作業に際して、図６に示すように、バーニヤ金具１において、外側プレート２、３と内側プレート４とは、従来のように、連結部６、８の周りを回動せず、略水平な状態で保持される。それは、次のような理由による。まず、外側プレート２、３においては、調整アーム６２に枢支ボルト５８を挿入し、調整アーム６２のアーム係合孔６６と第１連結金具１３の第１係合孔２１との位置を一致させ、両者を枢支ボルト５８で連結した状態において、外側アーム２、３は上下両側から上下の調整アーム６２、６２によって挟持された状態となっており、外側アーム２、３の上下両側に調整アーム６２が位置して、外側アーム２、３の回動を規制しているのである。このとき、第１連結金具１３の外側プレート２、３への連結部６よりも内側プレート４側の位置に、第１連結金具１３の第１係合孔２１を設けてあるので、調整アーム６２の先端部は確実に、外側プレート２、３を挟持し、その回動を規制できることになる。また、内側プレート４に関しては、内側プレート４に張力が作用したままの状態が保たれるので、この点において、内側プレート４に回動は規制される。
【００２６】
図７及び図８には、調整工具６０を上下方向から取り付けて弛度調整を行う状態を示している。この場合、外側プレート２、３の側面に調整工具の調整アームが、その両側から係合可能な第３係合孔２３を設けていので、外側プレート２、３に張力が作用したままの状態が保たれ、外側プレート２、３の回動が規制される。
【００２７】
この場合、同図のように、内側プレート４が回動することになるが、内側プレート４の回動を防止するために、図９のような構造を採用してもよい。すなわち、内側プレート４における反外側プレート２、３側の端部を、第２連結金具１４の係合孔２４側へと延設し、この延設部に、上記第４係合孔２４と同一軸上に位置する第５係合孔２５を設けておくのである。そして、調整アーム６３のアーム係合孔６７と第２連結金具１４の第３係合孔２４とを枢支ボルト５９で連結する際に、同時にこの枢支ボルト５９を上記第５係合孔２５にも挿通して、調整アーム６３、第２連結金具１４と共に、内側プレート４も連結しておくのである。このようにすれば、弛度調整作業に際して、内側プレート４が回動するのを防止することができる。
【図面の簡単な説明】
【００２８】
【図１】本発明の一実施の形態であるバーニヤ金具を備えた耐張装置の上面図である。
【図２】上記耐張装置の正面図である。
【図３】上記におけるバーニヤ金具の要部を示す上面図である。
【図４】上記バーニヤ金具の要部を示す正面図である。
【図５】バーニヤ金具の長さ調整方法を説明するための上面図である。
【図６】調整工具の取付け状態を拡大して示す上面図であり、（ａ）は短縮状態を示し、（ｂ）は伸長状態を示す。
【図７】バーニヤ金具の他の長さ調整方法を説明するための正面図である。
【図８】調整工具の取付け状態を拡大して示す正面図であり、（ａ）は短縮状態を示し、（ｂ）は伸長状態を示す。
【図９】バーニヤ金具における内側プレートの変更例を示す正面図である。
【図１０】従来のバーニヤ金具を備えた耐張装置を示す上面図である。
【図１１】従来のバーニヤ金具の長さ調整方法を示す上面図である。
【図１２】従来の調整工具の取付け状態を示す図であり、（ａ）は上面図を示し、（ｂ）は正面図を示す。
【符号の説明】
【００２９】
１・・バーニヤ金具、２・・外側プレート、３・・外側プレート、４・・内側プレート、６・・連結部、１１・・耐張クランプ、１３・・第１連結金具（連結金具）、２１・・第１係合孔（係合部）、２２・・第２係合孔（係合部）、２３・・第３係合孔（係合部）、６０・・調整工具、６２・・調整アーム、６３・・調整アーム
【図１】
2008253061.tif 000003
【図２】
2008253061.tif 000004
【図３】
2008253061.tif 000005
【図４】
2008253061.tif 000006
【図５】
2008253061.tif 000007
【図６】
2008253061.tif 000008
【図７】
2008253061.tif 000009
【図８】
2008253061.tif 000010
【図９】
2008253061.tif 000011
【図１０】
2008253061.tif 000012
【図１１】
2008253061.tif 000013
【図１２】
2008253061.tif 000014